(57)【要約】【課題】アイコンのガイドを提供する方法及び装置が提供される。【解決手段】電子デバイスは、ガイドの設定モードで、第１のユーザ入力に応じてアイコンを指定し、上記指定されたアイコンのガイドとして提供されるコンテンツを、上記アイコンと関連付けて、ガイドを設定することができる。電子デバイスは、上記ガイド設定モードの後、上記ガイドの設定されたアイコンと画面とを表示し、上記ガイドが設定されたアイコンに対する第２のユーザ入力が検出されることによって、上記ガイドが設定されたアイコンに対する上記コンテンツを再生することができる。【選択図】図３
2014137825.tif 000002
【特許請求の範囲】
【請求項１】
電子デバイスにおけるアイコンのガイドを提供する方法であって、
第１のユーザ入力に応じて、アイコンを指定するステップと、
前記指定されたアイコンのガイドとして提供されるコンテンツを、前記アイコンと関連付けて、ガイドを設定するステップと、
前記ガイドが設定されたアイコンと画面とを表示するステップと、
前記ガイドが設定されたアイコンに対する第２のユーザ入力が検出されることによって、前記ガイドが設定されたアイコンに関連付けられた前記コンテンツを再生するステップと、
を含むことを特徴とするガイドの提供方法。
【請求項２】
第３のユーザ入力に応じて、前記ガイドが設定されたアイコンに対応するアプリケーションを実行するステップをさらに含むことを特徴とする請求項１に記載のガイドの提供方法。
【請求項３】
前記第２のユーザ入力及び前記第３のユーザ入力は、互いに異なるタッチジェスチャーであることを特徴とする請求項２に記載のガイドの提供方法。
【請求項４】
前記第２のユーザ入力として、タッチスクリーン上におけるホバー（Hover）ジェスチャーを識別し、
前記第３のユーザ入力として、前記タッチスクリーンに対するタッチジェスチャーを識別することを特徴とする請求項２に記載のガイドの提供方法。
【請求項５】
前記コンテンツを再生するステップは、
前記ガイドが設定されたアイコンに対応するアプリケーションの実行のためのインタラクションオブジェクトを表示するステップをさらに含むことを特徴とする請求項１に記載のガイドの提供方法。
【請求項６】
前記インタラクションオブジェクトに対する第３のユーザ入力が検出されることによって、前記アプリケーションを実行するステップをさらに含むことを特徴とする請求項５に記載のガイドの提供方法。
【請求項７】
前記ガイドを設定するステップは、
ホーム画面及びプログラム画面のうちの少なくとも一つに含まれた複数のアイコンを表示するステップと、
前記第１のユーザ入力に応じて、複数のアイコンのうち、アイコンを指定するステップと、を含むことを特徴とする請求項１に記載のガイドの提供方法。
【請求項８】
前記ガイドを設定するステップは、
前記指定されたアイコンのガイドとして提供されるコンテンツの形式を含むメニューを表示するステップと、
前記メニューを通じて指定された形式に相応する前記コンテンツを、前記指定されたアイコンと関連付けるステップと、
をさらに含むことを特徴とする請求項７に記載のガイドの提供方法。
【請求項９】
前記ガイドを設定するステップは、
前記指定された形式に相応する前記コンテンツを獲得するコンテンツ生成アプリケーションを実行するステップと、
前記コンテンツ生成アプリケーションを通じてユーザ入力を検出して、前記コンテンツを獲得するステップと、
をさらに含むことを特徴とする請求項８に記載のガイドの提供方法。
【請求項１０】
前記コンテンツは、
ユーザの操作によって前記電子デバイスのコンテンツ生成アプリケーションを通じて獲得されたものであることを特徴とする請求項１に記載のガイドの提供方法。
【請求項１１】
前記ガイドが設定されたアイコンと前記画面とを表示するステップは、前記ガイドが設定されたアイコンに前記ガイドが設定されていることを表示する視覚的効果を、前記画面に提供するステップを含むことを特徴とする請求項１に記載のガイドの提供方法。
【請求項１２】
前記コンテンツは、
音声、イメージ、動画、及びテキストのうちの少なくとも一つであることを特徴とする請求項１に記載のガイドの提供方法。
【請求項１３】
前記ガイドが設定されたアイコンに対する前記コンテンツを再生するステップは、
前記ガイドが設定されたアイコンを含む画面の一部領域に、ポップアップ（pop-up）の形態で前記コンテンツを表示するステップであることを特徴とする請求項１に記載のガイドの提供方法。
【請求項１４】
前記ガイドを設定するステップは、
少なくとも一つのアイコンと、前記少なくとも一つのアイコンのガイドとして提供されるコンテンツとの予め設定された関連付け情報をメモリに保存するステップと、
前記予め設定された関連付け情報をユーザ入力によって変更するステップと、
を含むことを特徴とする請求項１に記載のガイドの提供方法。
【請求項１５】
アイコンのガイドを提供する電子デバイスであって、
ガイド設定モードで、第１のユーザ入力に応じてアイコンを指定し、ガイドが設定されたアイコンと画面とを表示するユーザインターフェース部と、
前記指定されたアイコンのガイドとして提供されるコンテンツを、前記アイコンと関連付けてガイドを設定し、前記ガイドが設定されたアイコンに対する第２のユーザ入力が検出されることによって、前記ガイドが設定されたアイコンに対する前記コンテンツが再生されるよう制御する制御部と、
を含むことを特徴とする電子デバイス。
【発明の詳細な説明】
【技術分野】
【０００１】
本発明は、ガイドを提供する方法及び電子デバイスに関し、特に、ユーザ入力が受信されると、ユーザにガイドを提供する方法及び電子デバイスに関する。
【背景技術】
【０００２】
一般的に、ユーザインターフェース（ＵＩ、user interface）は、ユーザと、物、システム、デバイス、又はプログラムなどとの間に意思疎通が可能であるよう、一時的又は持続的なアクセスを提供する技術である。
【０００３】
ユーザが容易に電子デバイスを操作できるように改善されたユーザインターフェースが、研究されてきている。ユーザは、改善されたユーザインターフェースを通じて、電子デバイスに容易に入力したり、出力を迅速に認識したりすることができる。
【０００４】
また、印刷物又は記憶媒体を通じて、ユーザインターフェース、アプリケーションの機能、電子デバイスの操作方法などに関する説明書又はガイドが提供されている。印刷物又は記憶媒体を通じて提供される説明書又はガイドの場合、ユーザは、使用状況に適した説明を、印刷物又は記憶媒体から探さなければならないという不都合があり、子供、老人、又は障害者等が利用しづらい。また、携帯端末のような電子デバイスでは、アクセシビリティを考慮したトークバック（talkback）などの機能が提供されているものの、トークバックの不自然な機械発音は、子供、老人、又は障碍者等には認知しづらく、かつ、単調になることもある。
したがって、電子デバイスにおいて、説明書又はガイドを提供する方法についての研究が必要である。
【先行技術文献】
【特許文献】
【０００５】
米国特許出願公開第２００８−０２８８８６５号公報
【発明の概要】
【発明が解決しようとする課題】
【０００６】
したがって、本発明は、上述した従来技術の問題点を解決するために提案されたものであり、その目的は、ユーザが、より便利に利用することができるガイドの提供方法及び電子デバイスを提供することにある。
【０００７】
また、本発明の他の目的は、ユーザが、容易にガイドを設定できるようにするガイドの提供方法及び電子デバイスを提供することにある。
【０００８】
本発明のまた他の目的は、ユーザに、より効果的に電子デバイスを利用し、かつ電子デバイスの利用に関する興味を誘発するようにするガイドの提供方法及び電子デバイスを提供することにある。
【課題を解決するための手段】
【０００９】
上記のような目的を達成するために、本発明の一態様によれば、電子デバイスにおけるアイコンのガイドを提供する方法が提供される。上記方法は、第１のユーザ入力に応じてアイコンを指定するステップと、上記指定されたアイコンのガイドとして提供されるコンテンツを、上記アイコンと関連付けて、ガイドを設定するステップと、上記ガイドが設定されたアイコンと画面とを表示するステップと、上記ガイドが設定されたアイコンに対する第２のユーザ入力が検出されることによって、上記ガイドが設定されたアイコンに関連付けられた上記コンテンツを再生するステップと、を含む。
【００１０】
本発明の一態様によれば、第３のユーザ入力に応じて、ガイドが設定されたアイコンに対応するアプリケーションを実行するステップをさらに含んでもよい。
【００１１】
本発明の一態様によれば、上記第２のユーザ入力及び上記第３のユーザ入力は、互いに異なるタッチジェスチャーであってもよい。
【００１２】
本発明の一態様によれば、上記コンテンツを再生するステップは、上記第２のユーザ入力として、タッチスクリーン上におけるホバー（Hover）ジェスチャーを識別し、上記アプリケーションを実行するステップは、上記第３のユーザ入力として、上記タッチスクリーンに対するタッチジェスチャーを識別してもよい。
【００１３】
本発明の一態様によれば、上記コンテンツを再生するステップは、上記ガイドが設定されたアイコンに対応するアプリケーションの実行のためのインタラクションオブジェクトを表示するステップをさらに含んでもよい。
【００１４】
本発明の一態様によれば、上記インタラクションオブジェクトに対する第３のユーザ入力が検出されることによって、上記アプリケーションを実行するステップをさらに含んでもよい。
【００１５】
本発明の一態様によれば、上記ガイドを設定するステップは、ホーム画面及びプログラム画面のうちの少なくとも一つに含まれた複数のアイコンを表示するステップと、上記第１のユーザ入力に応じて、上記複数のアイコンのうち、アイコンを指定するステップとを、さらに含んでもよい。
【００１６】
本発明の一態様によれば、上記ガイドを設定するステップは、上記指定されたアイコンのガイドとして提供されるコンテンツの形式を含むメニューを表示するステップと、上記メニューを通じて指定された形式に相応する上記コンテンツを、上記指定されたアイコンと関連づけるステップとを、さらに含んでもよい。
【００１７】
本発明の一態様によれば、上記ガイドを設定するステップは、上記指定された形式に相応する上記コンテンツを獲得するコンテンツ生成アプリケーションを実行するステップと、上記コンテンツ生成アプリケーションを通じてユーザ入力を検出して、上記コンテンツを獲得するステップとを、さらに含んでもよい。
【００１８】
本発明の一態様によれば、上記コンテンツは、ユーザの操作によって、上記電子デバイスのコンテンツ生成アプリケーションを通じて獲得されたものであってもよい。
【００１９】
本発明の一態様によれば、上記ガイドが設定されたアイコンと上記画面とを表示するステップは、上記ガイドが設定されたアイコンに上記ガイドが設定されていることを示す視覚的効果を、上記画面に提供するステップを含んでもよい。
【００２０】
本発明の一態様によれば、上記コンテンツは、音声、イメージ、動画、及びテキストのうちの少なくとも一つであってもよい。
【００２１】
本発明の一態様によれば、上記ガイドが設定されたアイコンに対する上記コンテンツを再生するステップは、上記ガイドが設定されたアイコンを含む画面の一部領域に、ポップアップ（pop-up）の形態で上記コンテンツを表示するステップであってもよい。
【００２２】
本発明の一態様によれば、上記ガイドを設定するステップは、少なくとも一つのアイコンと、上記少なくとも一つのアイコンのガイドとして提供されるコンテンツとの予め設定された関連付け情報をメモリに保存するステップと、上記予め設定された関連付け情報をユーザ入力によって変更するステップとを、含んでもよい。
【００２３】
本発明の一態様によれば、アイコンのガイドを提供する電子デバイスが提供される。上記電子デバイスは、ガイド設定モードにおいて、第１のユーザ入力に応じてアイコンを指定し、ガイドが設定されたアイコンと画面とを表示するユーザインターフェース部と、上記指定されたアイコンのガイドとして提供されるコンテンツを、上記アイコンと関連付けてガイドを設定し、上記ガイドが設定されたアイコンに対する第２のユーザ入力が検出されることによって、上記ガイドが設定されたアイコンに対する上記コンテンツが、再生されるよう制御する制御部とを、含む。
【００２４】
本発明の一態様によれば、上記制御部は、第３のユーザ入力に応じて、上記ガイドが設定されたアイコンに対応するアプリケーションが実行されるよう制御することができる。
【００２５】
本発明の一態様によれば、上記第２のユーザ入力及び第３のユーザ入力は、互いに異なるタッチジェスチャーであってもよい。
【００２６】
本発明の一態様によれば、上記第２のユーザ入力が、タッチスクリーン上におけるホバー（Hover）ジェスチャーであり、上記第３のユーザ入力は、上記タッチスクリーンに対するタッチジェスチャーであってもよい。
【００２７】
本発明の一態様によれば、上記制御部は、上記第２のユーザ入力に応じて、上記ガイドが設定されたアイコンに対応するアプリケーションの実行のためのインタラクションオブジェクトが、表示されるよう制御することができる。
【００２８】
本発明の一態様によれば、上記制御部は、上記インタラクションオブジェクトに対する第３のユーザ入力に応じて、上記アプリケーションが実行されるよう制御することができる。
【００２９】
本発明の一態様によれば、上記ユーザインターフェース部は、ホーム画面及びプログラム画面のうちの少なくとも一つに含まれた複数のアイコンを表示し、上記第１のユーザ入力に応じて、上記複数のアイコンのうち、アイコンを指定することにより、上記アイコンを指定することができる。
【００３０】
本発明の一態様によれば、上記ユーザインターフェース部は、上記指定されたアイコンのガイドとして提供されるコンテンツの形式を含むメニューを表示し、上記制御部は、上記メニューを通じて選択された形式に相応する上記コンテンツを、上記指定されたアイコンと関連付けることにより、上記ガイドを設定することができる。
【００３１】
本発明の一態様によれば、上記制御部は、上記形式に相応する上記コンテンツを獲得するコンテンツ生成アプリケーションが実行されるよう制御し、上記コンテンツ生成アプリケーションを通じてユーザ入力を検出して、上記コンテンツが獲得されるよう制御することにより、上記ガイドを設定することができる。
【００３２】
本発明の一態様によれば、上記コンテンツは、ユーザの操作によって、上記コンテンツ生成アプリケーションを通じて獲得されたものであってもよい。
【００３３】
本発明の一態様によれば、上記ユーザインターフェース部は、上記ガイドが設定されたアイコンに上記ガイドが設定されていると示す視覚的効果を、上記画面に提供することができる。
【００３４】
本発明の一態様によれば、上記コンテンツは、音声、イメージ、動画、及びテキストのうちの少なくとも一つであってもよい。
【００３５】
本発明の一態様によれば、上記ユーザインターフェース部は、上記ガイドが設定されたアイコンを含む画面の一部領域に、ポップアップの形で上記コンテンツを表示することができる。
【００３６】
本発明の一態様によれば、少なくとも一つのアイコンと、上記少なくとも一つのアイコンのガイドとして提供されるコンテンツの予め設定された関連付け情報を保存するメモリをさらに含み、上記制御部は、上記予め設定された関連付け情報を、ユーザ入力に応じて変更することにより、上記ガイドを設定することができる。
【発明の効果】
【００３７】
本発明は、アイコン又はメニューなどに、ガイドとして提供されるコンテンツを関連付けることにより、ユーザに、より直観的であり、かつ便利にガイドを提供することができる効果を有する。 
【００３８】
また、本発明は、ガイド設定モードにおいて、ユーザ入力に応じて指定されたアイコンと、ガイドとして提供されるコンテンツとを関連付けて、ガイドを設定することにより、電子デバイスにおいて、ユーザに必要なガイドの対象及びコンテンツの選択に効率性を提供する効果を有する。
【００３９】
さらに、本発明は、ユーザの操作によって、コンテンツ生成アプリケーションを通じて獲得するか、又はユーザにより指定されたコンテンツをガイドとして用いることにより、ユーザに興味を誘発できるようにするガイドを提供する効果を有する。
【図面の簡単な説明】
【００４０】
【図１】本発明の一態様による電子デバイスにおけるガイドを提供するコンセプトを示す例示図である。
【図２】本発明の一態様による電子デバイスを示す例示図である。
【図３】本発明の一態様によるガイドの提供方法を示すフローチャートである。
【図４】本発明の一態様によるガイドの設定方法を示すフローチャートである。
【図５】本発明の一態様によるガイド設定後にガイドを提供する方法を示すフローチャートである。
【図６】本発明の一態様によるガイド設定モードに進むためのユーザインターフェースを示す例示図である。
【図７】本発明の一態様によるガイド設定モードでアイコンを指定するユーザインターフェースを示す例示図である。
【図８】本発明の一態様によるガイドとして提供されるコンテンツを指定するユーザインターフェースを示す例示図である。
【図９】本発明の一態様による電子デバイスにおけるガイドを提供する概念を示す他の例示図である。
【図１０】本発明の一態様による電子デバイスにおけるガイドを提供する概念を示すまた他の例示図である。
【図１１】本発明の一態様によるガイド提供後のユーザインターフェースを示す例示図である。
【発明を実施するための形態】
【００４１】
以下、本発明の製造方法、使用方法を詳細に説明する。本明細書に記載の「・・部」、「モジュール」などの用語は、少なくとも一つの機能や動作を処理する単位を意味し、これは、ハードウェア又はソフトウェアで実現されるか、ハードウェアとソフトウェアとの組合せにより実現され得る。
【００４２】
本発明の一実施形態による電子デバイスは、多様な形態で実現することができる。例えば、本明細書に記述の電子デバイスは、携帯端末、コンピュータ、ユーザインターフェース部及び制御部などから構成された各種の機器を含んでもよい。携帯端末は、携帯電話、スマートフォン（smart phone）、ノートブック（laptop computer）、タブレットＰＣ、電子ブック（e-book）端末機、デジタル放送用端末機、ＰＤＡ（Personal Digital Assistants）、ＰＭＰ（Portable Multimedia Player）、ナビゲーションなどを含んでもよいが、これに限定されない。
【００４３】
本発明の一実施形態によるアイコン又はアイテムに対するユーザ入力に応じて提供されるガイドは、コンテンツの表示又は再生を言う。ここで、ガイドとして提供されるコンテンツは、ユーザ入力によって指定されたファイル、又はユーザの操作によって生成された多様な形態のオブジェクトを含む。ガイドは、電子デバイスの操作又はアプリケーションについての説明、ガイド、ヘルプなどを含んでもよい。ガイドとして提供されるコンテンツの内容は、電子デバイスの操作、又はアイコン又はアイテムに対応するアプリケーションに限定されず、ユーザの選択によって興味を誘発する内容、アイコン又はアイテムと関係のない内容などから多様に構成されてもよいことに留意すべきである。また、ガイドとして提供されるコンテンツは、電子デバイスの製造者又は通信サービス事業者により提供されるか、アプリケーションが、電子デバイスにダウンロードされるか、インストールされるときに提供されるデフォルトコンテンツであってもよい。デフォルトコンテンツは、電子デバイスにおいて、ガイドの設定を通じて、ユーザの操作によって、その再生が非活性化されるか、編集されるか、アイコンとの関連付けが修正されるか、他のコンテンツに変更されてもよい。
【００４４】
本発明の一実施形態によるアイコンと、アイコンのガイドとして提供されるコンテンツの関連付け情報は、電子デバイスに記憶又は保存されてもよい。関連付け情報は、ユーザ入力によって新しく生成されてもよく、少なくとも一部が、修正又は変更されてもよい。また、電子デバイスの製造者又は通信サービス事業者によって提供されるか、アプリケーションがインストールされることによって、少なくとも一つのアイコンと、少なくとも一つのアイコンのガイドとして提供されるコンテンツとの、予め設定された関連づけ情報が、電子デバイスに記憶されるか、メモリに保存されてもよい。予め設定された関連づけ情報のうちの少なくとも一部は、電子デバイスにおいて、ユーザ入力に応じて、修正、変更され、各アイコンのガイドの活性化の可否が指定されてもよい。
【００４５】
以下、添付の図面を参照して、本発明の属する技術分野における通常の知識を有する者が、容易に実施することができるように、本発明の一実施形態について詳細に説明する。しかし、本発明は様々な相異なる形態で実現されてもよく、ここで説明する実施形態に限定されない。そして、図面において、本発明の説明を明らかにするために説明と関係のない部分は省略され、明細書の全般に渡って、同一の構成要素または機能的に類似した構成要素に対しては、同一の参照符号及び参照番号を付されている。
【００４６】
図１は、本発明の一態様による電子デバイスにおけるガイドを提供するコンセプトを示す例示図である。
【００４７】
電子デバイス１００は、ガイド設定モードにおいて、第１のユーザ入力に応じてアイコンを指定する。電子デバイス１００は、指定されたアイコンのガイドとして提供されるコンテンツを、アイコンと関連づけてガイドを設定する。ここで、アイコンは、携帯端末のような電子デバイス１００のホーム画面及びプログラム画面のうちの少なくとも一つに含まれた複数のアイコンのうちの一つであってもよい。ガイド設定モードに対するユーザインターフェース及びガイドの設定方法については、図４及び図６〜図８を参照してより詳細に説明する。
【００４８】
本発明の一態様による、ユーザ入力に応じてガイドが提供される対象は、アイコン２１１、２１５、２１７だけではなく、ウィジェット、例えば、画面２１０の下端のドック（dock）メニュー、クイックパネル（quick-panel）又はリストなどのメニュー、メニューに含まれたアイテム、ステータスバー（status bar）２１３、ステータスバー２１３を構成するアイテム（例えば、バッテリー残量の表示、通信状態の表示、時間の表示など）、ホーム画面又はプログラム画面の背景画像などを含んでもよい。アイコン２１１、２１５、２１７は、イメージ及びテキストのうちの少なくとも一つから構成されてもよい。
【００４９】
電子デバイス１００は、ガイド設定モードの後（又はガイド設定の後）、ガイドが設定されたアイコン２１７と画面２１０を表示する。この際、電子デバイス１００は、ガイドが設定されたアイコン２１７にガイドが設定されていることを示す視覚的効果２１９を、画面２１０に提供することができる。電子デバイス１００は、アイコン２１７に対するユーザ入力２５０に応じて、ガイドが設定されたアイコン２１７にガイドが設定されていることを示すために、ガイドの設定されていないアイコン２１１、２１５に対する反応とは異なる聴覚的効果、振動のような触覚（tactile）フィードバックなどをさらに提供することもできる。
【００５０】
電子デバイス１００は、ガイドが設定されたアイコン２１７に対するユーザ入力２５０を検出すると、ガイドが設定されたアイコン２１７に対するコンテンツを再生する。
【００５１】
ユーザ入力２５０は、ガイドが設定されたアイコン２１７に対するコンテンツを再生するためのタッチジェスチャー、モーションジェスチャー、ボタン入力、キー入力、音声入力、モーション入力などであってもよい。説明の便宜上、ユーザ入力２５０は、アイコンのガイドが提供されるための第２のユーザ入力２５０と称し、アイコンに対応するアプリケーションを実行するためのユーザ入力（例えば、図９においてインタラクションオブジェクト９２５の選択、又は図１１において画面１１１０上のアイコン２１７の選択）又は第２のユーザ入力後の新しいユーザ入力を第３のユーザ入力と称する。
【００５２】
第２のユーザ入力２５０と第３のユーザ入力は、同一のタッチジェスチャーなどのような同一のジェスチャーに対応させてもよい。第２のユーザ入力２５０と第３のユーザ入力が、同一のジェスチャーの場合、電子デバイス１００は、一つのアイコン２１７に対するユーザ入力を識別するために、アイコン２１７に対する同一のジェスチャーが、順次的に入力されると、時間軸で互いに異なる機能を実行するための異なる入力として扱われるよう、ユーザインターフェースを制御することができる。
【００５３】
また、電子デバイス１００は、第２のユーザ入力２５０及び第３のユーザ入力を、互いに異なるタッチジェスチャーなどによりジェスチャーを識別できるように設定し、入力時間と関係なく、入力された形態によって、第２のユーザ入力２５０と第３のユーザ入力とを識別することができる。電子デバイス１００は、識別可能なユーザ入力によって、アイコン２１７に設定されたガイドを提供するか、アイコン２１７に対応するアプリケーションが実行されるよう制御することができる。
【００５４】
コンテンツは、第１のユーザ入力に応じて指定されたものであるか、ユーザの操作により、電子デバイス１００のコンテンツ生成アプリケーションを通じて獲得されたものであってもよい。コンテンツは、音声、イメージ、動画、又はテキスト（ノート）の形態のファイルであってもよい。また、コンテンツは、ＦＴＰ（File Transfer Protocol）又はインターネットウェブページ、ＩＰアドレスなどのネットワークアドレスであってもよい。当該コンテンツが再生されると、ネットワークアドレスが指定するウェブページ又は音声、イメージ、動画、テキストなどが再生されるか、表示されてもよい。
【００５５】
例えば、図１において、画面２２０は、ガイドが設定されたアイコン２１７に対するユーザ入力２５０の検出に応じて、ガイドが設定されたアイコン２１７に対するコンテンツが再生されてもよい。電子デバイス１００は、ガイドが設定されたアイコン２１７を含む画面２２０の一部領域に、ポップアップ（pop-up）２２１の形態でコンテンツを表示するか、再生することができる。コンテンツは、ポップアップ２２１の形態だけでなく、デスクトップ、ウィンドウ領域、又は画面２２０の全領域に表示されてもよい。ポップアップ２２１又はウィンドウの形状は、四角形、円形、楕円形、吹き出し、雲などの形状に多様に構成されてもよい。また、音声のような聴覚的コンテンツ、又はハプティックのような触覚的コンテンツが、別途の視覚的効果なく、再生されてもよい。
【００５６】
画面２２０のポップアップ２２１で再生されるコンテンツは、アイコン２１７に対応するアプリケーションについての説明（又はガイド）であるか、アイコン２１７への関心を有するようにする内容であってもよい。例えば、アイコン２１７が、カメラアプリケーションに対応する場合、アイコン２１７のガイドとして、「Flip! Flip!」ユーザの音声（又は音声ファイル）と共に、ポップアップ２２１に表示される「Flip! Flip!」テキスト（又はテキストファイル）が、アイコン２１７に関連付けられてもよい。ユーザは、電子デバイス１００のユーザインターフェースを操作することにより、少なくとも一つのコンテンツを、アイコン２１７のガイドとして選択してもよい。本発明の一態様により、第１ユーザが第２ユーザを考慮して電子デバイス１００においてガイドを設定し、電子デバイス１００を用いる第２ユーザは、第１ユーザの音声のような、より慣れ親しんだ適切なガイドを受けてもよい。例えば、ガイドを受ける第２ユーザは、児童、知的障害者、老人などのように、電子デバイス１００の操作が未熟なユーザであってもよく、第１ユーザは、第２ユーザの保護者であってもよい。また、電子デバイス１００を使用する興味を惹くためにユーザが指定したコンテンツがガイドとして提供されるよう、ユーザは、一態様によるガイドを提供するユーザインターフェースを操作してもよい。一例として、ガイドとして提供されるコンテンツは、ゲームアプリケーションのように、電子デバイス１００とユーザとの双方向のインタラクションインターフェースを含んでもよい。また、複数のコンテンツが一つのアイコンに対するガイドとして指定される場合、電子デバイス１００は、ガイドが指定されたアイコンを含む画面が変更されるたびに、アイコンのガイドが変更されるよう、複数のコンテンツのうちの少なくとも一つが、任意に選択されて再生されるよう制御することもできる。
【００５７】
また、電子デバイス１００において、第３のユーザ入力が検出されると、電子デバイス１００は、ガイドが設定されたアイコン２１７に対応するアプリケーションを実行することができる。例えば、アイコン２１７がカメラアプリケーションに対応する場合、電子デバイス１００は、第３のユーザ入力が受信されると、カメラアプリケーションを実行することができる。このように、アイコンに対するガイドが設定される前のユーザインターフェースを大きく変形することもなく、電子デバイス１００は、アイコンに対応するアプリケーションの実行のための機能と、アイコンのガイドを提供する機能を便利に、かつ効果的に提供することができる。
【００５８】
以下に、図２〜図１１を参照して、ガイドを提供する方法及び装置についてより詳細に説明する。
【００５９】
図２は、本発明の一態様による電子デバイスを示す例示図である。
図２を参照すると、電子デバイス１００は、ユーザインターフェース部１３５及び制御部１５０を含む。ユーザインターフェース部１３５は、出力部１２０及びユーザ入力部１３０を含んでもよい。電子デバイス１００は、メモリ１６０をさらに含んでもよい。また、電子デバイス１００は、通信部１１０又はセンシング部１４０をさらに含んでもよい。
【００６０】
ユーザインターフェース部１３５は、ガイド設定モードで、第１のユーザ入力に応じてアイコンを指定する。ユーザインターフェース部１３５は、ユーザに、ガイド設定のためのユーザインターフェースを提供することができる。ユーザインターフェース部１３５は、ガイド設定モードの後、ガイドが設定されたアイコンと画面とを表示する。
【００６１】
ユーザインターフェース部１３５は、出力部１２０及びユーザ入力部１３０を含んでもよい。出力部１２０は、オーディオ信号又はビデオ信号又は振動信号を出力するように構成されており、ディスプレイ部１２１、音響出力部１２２、振動モータ１２３などを含んでもよい。ディスプレイ部１２１は、電子デバイス１００で処理される情報を出力する。例えば、ディスプレイ部１２１は、通話モードの場合、通話関連のユーザインターフェース（ＵＩ）又はＧＵＩ（Graphic User Interface）を表示することができる。ディスプレイ部１２１は、ガイド設定モードで、ガイドを設定するためのユーザインターフェースを表示することができる。
【００６２】
一方、ディスプレイ部１２１とタッチパッド（図示せず）とが、レイヤー構造をなして、タッチスクリーンを構成する場合、タッチスクリーンは、出力部１２０の機能以外に、ユーザ入力部１３０の機能をする装置としても用いることができる。ディスプレイ部１２１は、液晶ディスプレイ（liquid crystal display）、薄膜トランジスタ液晶ディスプレイ（thin film transistor liquid crystal display）、有機発光ダイオード（organic light emitting diode）、フレキシブルディスプレイ（flexible display）、３次元ディスプレイ（3D display）、電気泳動ディスプレイ（electrophoretic display）などから選択された少なくとも一つを含んでもよい。そして、電子デバイス１００の実現形態によって、電子デバイス１００は、ディスプレイ部１２１を二つ以上含んでもよい。この際、二つ以上のディスプレイ部１２１は、ヒンジ（hinge）などを用いて対向配置してもよい。
【００６３】
音響出力部１２２は、通信部１１０から受信されるか、メモリ１６０に記憶されたオーディオデータを出力する。音響出力部１２２は、ガイドとして提供されたコンテンツの再生のために、コンテンツの音響信号を出力することができる。また、音響出力部１２２は、電子デバイス１００で遂行される機能（例えば、着信の受信音、メッセージの受信音など）と関連した音響信号を出力する。このような音響出力部１２２には、スピーカ（speaker）、ブザー（Buzzer）などが含まれてもよい。
【００６４】
振動モータ１２３は、振動信号を出力することができる。振動モータ１２３は、ガイドが設定されたアイコンに対するユーザ入力が検出される場合、触覚フィードバックとして振動信号を出力できる。また、振動モータ１２３は、オーディオデータ又はビデオデータ（例えば、着信の受信音、メッセージの受信音など）の出力に対応する振動信号を出力することができる。振動モータ１２３は、タッチスクリーンにタッチが入力される場合、振動信号を出力することができる。ここで、触覚フィードバックとして、振動信号のようなハプティック効果を提供するために、振動モータ１２３と共に、又は振動モータ１２３の代わりに、ＥＡＰ（Electro Active Polymer）、圧電素子（Piezo）などが構成されてもよい。
【００６５】
ユーザ入力部１３０は、ガイド設定モードで、ガイド設定のためのユーザ入力を検出することができる。ユーザ入力部１３０は、ユーザ入力に応じてアイコンを指定するか、又はガイドとして提供されるコンテンツを指定することができる。
【００６６】
ユーザ入力部１３０とは、ユーザが電子デバイス１００を制御するためのデータを入力する手段を意味する。例えば、ユーザ入力部１３０には、ソフトウェアのモジュール又は物理的機構及び回路により実現されるボタン、キーパッド（key pad）、ドームスイッチ（dome switch）、タッチパッド（接触式静電容量方式、電磁気誘導方式、圧力式抵抗膜方式、赤外線感知方式、表面超音波伝導方式、積分式張力測定方式、圧電効果方式など）、 ジョグホイール、ジョグスイッチなどが含まれてもよいが、これに限定されない。また、前述のように、ディスプレイ部１２１とタッチパッドとが結合して、タッチスクリーンとして構成されてもよい。また、タッチスクリーンが、静電容量方式又は電磁気誘導方式のタッチパッドを含んで構成される場合、タッチスクリーンは、静電容量方式又は電磁気誘導方式のペン（pen）のようなアクセサリを通じたユーザ入力を受信してもよい。
【００６７】
本発明の一態様による、ガイドが提供されるための第２のユーザ入力、及びアイコンに対応するアプリケーションを実行させるための第３のユーザ入力は、同一のジェスチャーであってもよい。例えば、タッチスクリーンを通じてタッチジェスチャーが受信される場合、第２のユーザ入力及び第３のユーザ入力は、一つのアイコンに対する選択を意味するタップ（tap）ジェスチャーであってもよい。マウスでユーザ入力が受信される場合、第２のユーザ入力及び第３のユーザ入力は、同一のボタンを用いた一つのアイコンに対するクリック（click）ジェスチャーであってもよい。キー又はボタンでユーザ入力が受信される場合、一つのアイコンの活性化又は選択を意味する第２のユーザ入力及び第３のユーザ入力は、同一のキー又はボタンに生成される入力信号であってもよい。この他にも、第２のユーザ入力及び第３のユーザ入力は、多様な形態のジェスチャー又は入力信号として設定されてもよい。第２のユーザ入力及び第３のユーザ入力が、同一のジェスチャーである場合、電子デバイス１００は、一つのアイコンに対するユーザ入力を識別するために、同一のジェスチャーが、時間の差をおいて入力されると、各ジェスチャーが入力される時間で、ユーザインターフェースを変更して、互いに異なる機能のための入力として処理されるよう制御することができる。この際、第２のユーザ入力及び第３のユーザ入力が、受信される時刻で、複数のユーザインターフェース又は複数のユーザインターフェースが表示される複数の画面は、互いに相異してもよい。一例として、図９の画面２１０において、第２のユーザ入力２５０は、アイコン２１７に対するタップジェスチャーであり、ガイドを提供されるための入力であってもよい。図１１の画面１１１０において、第３のユーザ入力１１５０も、アイコン２１７に対するタップジェスチャーであるが、アイコン２１７に対応するアプリケーションを実行するための入力であってもよい。図９の画面２１０は、ガイドが提供される前のホーム画面であり、図１１の画面１１１０は、ガイドが提供された後を示すホーム画面であってもよい。また、電子デバイス１００は、ユーザインターフェースを識別するために、アイコン２１７に対する視覚的効果を、画面２１０の視覚的効果２１９と画面１１１０の視覚的効果１１１９とを異なるように提供するか、第３のユーザ入力のためのインタラクションオブジェクト９２５などを用いて、時間軸で第２のユーザ入力と異なる形態のユーザインターフェースを提供してもよい。
【００６８】
本発明の他の態様による第２のユーザ入力及び第３のユーザ入力は、互いに異なるジェスチャーであってもよい。一例として、電子デバイス１００で、ガイドが提供されるための第２のユーザ入力は、指又はペンを使ったタッチスクリーン上におけるホバー（Hover）ジェスチャーであり、アイコンに対応するアプリケーションを実行するための第３のユーザ入力は、タッチスクリーンに対するタッチジェスチャーであってもよい。ここで、ホバージェスチャーは、電子デバイス１００のタッチスクリーンと指（又はペン）との距離が、一定の範囲内に属するとき、検出されるジェスチャーであってもよい。タッチジェスチャーは、タッチスクリーンと指（又はペン）間の距離が、ホバージェスチャーより近いとき、検出されるジェスチャーであってもよい。第２のユーザ入力は、タップジェスチャーであり、第３のユーザ入力は、ダブル（double）タップジェスチャーであってもよい。第２のユーザ入力は、ロングプレス（long-press）ジェスチャーであっても、第３のユーザ入力は、タップジェスチャーであってもよい。上述の例の他にも、第２のユーザ入力及び第３のユーザ入力は、多様な形態のジェスチャー又は入力信号として設定されることがあることに留意すべきである。電子デバイス１００は、識別可能なユーザ入力によって、アイコンに設定されたガイドを提供するか、アイコンに対応するアプリケーションが実行されるよう制御されてもよい。
【００６９】
ジェスチャー又は入力信号を識別するために、予め設定されたジェスチャーのデータ（又は参照値）が、メモリ１６０に記憶されてもよい。具体的に、予め設定されたジェスチャーのデータは、メモリ１６０のＵＩモジュール１６１に含まれてもよい。制御部１５０は、メモリ１６０から予め設定されたジェスチャーのデータをアクセスして、ユーザインターフェース部１３５を通じて受信されたジェスチャー又は入力信号に対するユーザ入力と、予め設定されたジェスチャーのデータとを比較してもよい。制御部１５０は、比較結果に従い、ユーザ入力をガイドとして提供する機能のための第２のユーザ入力、又はアイコンに対応するアプリケーションを実行する機能のための第３のユーザ入力に対応するジェスチャーに特定するか、識別することができる。制御部１５０は、入力が受信されるときのユーザインターフェースと特定されたジェスチャーによって、第２のユーザ入力又は第３のユーザ入力に対応する機能が実行されるよう制御することができる。
【００７０】
制御部１５０は、ガイド設定モードで、ユーザインターフェース部１３５により指定されたアイコンと、指定されたアイコンのガイドとして提供されるコンテンツを関連付けて、ガイドを設定する。制御部１５０は、指定されたアイコンと、ガイドとして提供されるコンテンツとの関連付け又はマッピング関係を関連付け情報１６４として、メモリ１６０に記憶することができる。関連付け情報１６４は、アイコンの情報と、アイコンに対応するコンテンツの情報とを含んでもよい。一例として、アイコンの情報とコンテンツの情報は、マッピングテーブルの形態で記憶されてもよい。アイコンの情報又はコンテンツの情報は、その対象物の識別子、記憶場所又はアドレスであってもよく、当該アイコン又はコンテンツファイルそのものであってもよい。また、メモリ１６０は、電子デバイス１００の製造者又は通信サービス事業者の提供によって、又はアプリケーションのインストールによって、少なくとも一つのアイコンと、少なくとも一つのアイコンのガイドとして提供されるコンテンツの、予め設定された関連付け情報を保存することができる。予め設定された関連付け情報は、電子デバイス１００において、ユーザ入力によって、少なくとも一部が、修正、変更、各アイコンに対するガイドの活性化の可否が指定されてもよい。
【００７１】
制御部１５０は、ガイド設定モードの後、ガイドが設定されたアイコンに対する第２のユーザ入力が検出されることによって、ガイドが設定されたアイコンに対するコンテンツが再生されるよう制御する。制御部１５０は、ユーザインターフェース部１３５から検出されたユーザ入力のジェスチャー又は入力信号を識別して、ユーザ入力がアイコンのガイドを提供する機能のためのものであるか、アイコンに対応するアプリケーションを実行する機能のためのものであるかを判定することができる。また、制御部１５０は、ユーザ入力が検出されるとき、提供されるユーザインターフェースを考慮して、どんな機能のためのユーザ入力であるかを識別することができる。即ち、図９における第２のユーザ入力２５０及び図１１における第３のユーザ入力１１５０の例のように、同一のジェスチャーに基づいたユーザ入力に対して、時間上、異なる機能の処理をするユーザインターフェースが提供される場合、制御部１５０は、ユーザ入力の受信時のユーザインターフェースの反応又は機能を検出することができる。
【００７２】
制御部１５０は、ジェスチャー又は入力信号が、ガイドを提供する機能のための第２のユーザ入力として判定される場合、アイコンに対するコンテンツが再生されるよう制御することができる。コンテンツは、音声、イメージ、動画、及びテキストのうちの少なくとも一つであってもよい。また、ガイドとして、複数のコンテンツが共に再生されてもよい。
【００７３】
また、制御部１５０は、ガイドが設定されたアイコンに対する第３のユーザ入力が検出されると、ガイドが設定されたアイコンに対応するアプリケーションが実行されるよう制御することができる。制御部１５０は、ユーザインターフェース部１３５から検出されたユーザ入力が、アイコンに対応するアプリケーションを実行する機能のための第３のユーザ入力として判定される場合、アイコンに対応するアプリケーションが実行されるよう制御できる。
【００７４】
また、制御部１５０は、通常、電子デバイス１００の全般的な動作を制御する。制御部１５０は、メモリ１６０に記憶されたプログラムを実行することにより、通信部１１０、ユーザインターフェース部１３５、センシング部１４０、メモリ１６０などを全般的に制御することができる。
【００７５】
制御部１５０は、アプリケーションプロセッサ１５１及びコミュニケーションプロセッサ１５２を含んでもよい。アプリケーションプロセッサ１５１は、メモリ１６０に記憶された各種のアプリケーションの実行を制御することができる。例えば、アプリケーションプロセッサ１５１は、メモリ１６０に記憶されたガイド設定アプリケーション１６６をロードして、ガイド設定モードで、ユーザインターフェース部１３５を制御し、ユーザ入力に応じて指定されたアイコンとコンテンツとを関連付けて、関連付け情報１６４がメモリ１６０に記憶されるよう制御することができる。また、アイコンに対するユーザ入力が検出される場合、アプリケーションプロセッサ１５１は、メモリ１６０に記憶された関連付け情報１６４を参照して、当該アイコンにガイドが設定されているか、又はコンテンツが関連付けられているかを確認することができる。
【００７６】
メモリ１６０は、ＵＩモジュール１６１、センシングモジュール１６２、タッチスクリーンモジュール１６３、関連付け情報１６４、アプリケーションＤＢ１６５などを記憶することができる。アプリケーションＤＢ１６５は、ユーザ入力を検出して、コンテンツを獲得するためのコンテンツ生成アプリケーション（図示せず）、ガイド設定アプリケーション１６６などを含んでもよい。
【００７７】
また、メモリ１６０は、制御部１５０の処理及び制御のためのプログラム又はコマンドを記憶することもでき、入／出力されるデータを記憶することもできる。
【００７８】
メモリ１６０は、フラッシュメモリタイプ（flash memory type）、ハードディスクタイプ（hard disk type）、マルチメディアカードミクロタイプ（multimedia card micro type）、カードタイプのメモリ（例えば、ＳＤ又はＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク、光ディスクなど、少なくとも一つの記憶媒体を含んでもよい。また、電子デバイス１００は、インターネット（internet）上でメモリ１６０の記憶機能を行うウェブストレージ（web storage）を操作することもできる。
【００７９】
メモリ１６０に記憶されたプログラムは、その機能によって、複数のモジュールを含んでもよいが、例えば、ＵＩモジュール１６１、センシングモジュール１６２、タッチスクリーンモジュール１６３などを含んでもよい。
【００８０】
ＵＩモジュール１６１は、予め設定されたジェスチャーのデータを記憶することができる。また、ＵＩモジュール１６１は、ユーザインターフェース部１３５の駆動に必要な制御情報、又はコマンドの集合であってもよい。ＵＩモジュール１６１の機能は、その名称から当業者が分かるので、具体的な説明は省略する。また、制御部１５０は、ＵＩモジュール１６１と、アプリケーションＤＢ１６５のガイド設定アプリケーション１６６をアクセスして、ガイド設定モードで、ユーザインターフェース部１３５を通じて、ユーザにガイドを設定するユーザインターフェースが提供されるようにすることができる。
【００８１】
センシングモジュール１６２は、制御部１５０がセンシング部１４０を制御するためのコマンドの集合であってもよい。制御部１５０は、ガイド設定モードで、ガイドとして提供されるコンテンツが獲得されるよう、メモリ１６０からコンテンツ生成アプリケーション（図示せず）と、センシングモジュール１６２とを、ロードしてセンシング部１４０を制御することができる。コンテンツ生成アプリケーションは、獲得されるコンテンツの形式などによって、ボイスレコーダアプリケーション、カメラアプリケーション、カムコーダアプリケーション、テキストアプリケーション、ペンを用いるノードアプリケーションなど、多様なアプリケーションを含んでもよい。
【００８２】
タッチスクリーンモジュール１６３は、ユーザインターフェース部１３５がタッチスクリーンを含む場合、ユーザのタッチスクリーンに対するタッチジェスチャーを感知し、タッチジェスチャーに関する情報を制御部１５０へ伝達することができる。タッチスクリーンモジュール１６３は、別途のコントローラ（Ｈ／Ｗ）からなってもよい。
【００８３】
また、センシング部１４０は、タッチスクリーンのタッチ又は近接タッチを感知するために、タッチスクリーンの内部又は近くに備えられる多様なセンサーを含んでもよい。タッチスクリーンのタッチを感知するためのセンサーの一例として、触覚センサーがある。触覚センサーは、人が感じる程度で、又はそれ以上、特定の物体の接触を感知するセンサーを言う。上記触覚センサーは、接触面の粗さ、接触物体の固さ、接触地点の温度などの多様な情報を感知することができる。
【００８４】
また、タッチスクリーンのタッチを感知するためのセンサーの一例として、近接センサーがある。近接センサーは、所定の検出面に接近する物体、或いは近傍に存在する物体の有無を、電磁力又は赤外線を用いて、機械的な接触なく、検出するセンサーを言う。近接センサーの例としては、透過型光電センサー、直接反射型光電センサー、ミラー反射型光電センサー、高周波発振型近接センサー、静電容量型近接センサー、磁気型近接センサー、赤外線近接センサーなどがある。ユーザのタッチジェスチャーは、タップ、ロングプレス（又はタッチ＆ホールド）、ダブルタップ、ドラッグ、パンニング、フリック、ドラッグアンドドロップ、スワイプなどを含んでもよい。
【００８５】
メモリ１６０は、ガイド設定モードで、ユーザインターフェースを提供するガイド設定アプリケーション１６６を含んでもよい。また、メモリ１６０は、多様なアプリケーションを記憶することができる。例えば、アプリケーションＤＢ１６５には、リマインダーアプリケーション、コンタクトアプリケーション、地図アプリケーション、音楽アプリケーション、電子ブックアプリケーション、健康管理アプリケーション、運動管理アプリケーション、育児アプリケーションなどが格納されてもよいが、これに限定されることではない。
【００８６】
また、メモリ１６０は、音声認識エンジンを用いてユーザの音声を認識し、認識された音声を制御部１５０へ伝達するための音声認識モジュール（図示せず）を含んでもよい。
【００８７】
また、メモリ１６０は、電子デバイス１００のイベント発生を知らせるための信号を発生する機能のアラームモジュール（図示せず）を含んでもよい。電子デバイス１００で発生されるイベントの例としては、着信の受信、メッセージの受信、キー信号の入力、スケジュールの通知などがある。アラームモジュールは、ディスプレイ部１２１を通じて、ビデオ信号の形態でアラーム信号を出力してもよく、音響出力部１２２を通じて、オーディオ信号の形態でアラーム信号を出力してもよく、振動モータ１２３を通じて、振動信号の形態でアラーム信号を出力してもよい。一方、アラームモジュールは、スヌーズ（snooze）機能を提供することもできる。例えば、ユーザが、アラームの繰返し回数（例えば、５回）又はアラームの繰返し間隔（例えば、３分）などを設定した場合、アラームモジュールは、アラーム信号を所定の回数（例えば、５回）又は所定の間隔（例えば、３分）で出力することができる。
【００８８】
また、メモリ１６０は、アイコンの情報と、アイコンのガイドとして提供されるコンテンツの情報とが関連付けられたマッピングテーブルを示す関連付け情報１６４を含むことができる。コンテンツは、ガイド設定モードで、ユーザ入力によって指定されたものであるか、ユーザの操作によって、電子デバイス１００のコンテンツ生成アプリケーションを用いて獲得されたものであってもよい。関連付け情報１６４は、ユーザの利便性向上のために、電子デバイス１００の製造者、アプリケーションの開発者、又は第３のユーザが提供するデフォルト関連付け情報を含んでもよい。また、ガイド設定モードで、ユーザ入力によって、デフォルト関連付け情報が変更されるか、活性化の可否が決定されてもよい。制御部１５０は、コンテンツ生成アプリケーションを駆動し、センシング部１４０を制御して、ユーザの操作によって入力されるセンシング情報からコンテンツを獲得してもよい。獲得されたコンテンツは、メモリ１６０に記憶され、保存されてもよい。また、ガイド設定モードで、ユーザ入力によって指定されるコンテンツは、コンテンツ生成アプリケーションを通じて獲得したものであるか、通信ネットワーク又は外部記憶機器を介してダウンロードされたものであるか、電子デバイス１００が製作されるとき、予め記憶されたものであってもよい。
【００８９】
通信部１１０は、電子デバイス１００と移動通信の基地局、サーバー、又は外部機器との間の通信のための一つ以上の構成要素を含んでもよい。例えば、通信部１１０は、近距離通信部１１１、移動通信部１１２、放送受信部１１３などを含んでもよい。
【００９０】
近距離通信部１１１は、ブルートゥース（bluetooth（登録商標））、無線ラン（Wi-Fi）、ジグビー（Zigbee（登録商標））、ＷＦＤ（Wi-Fi Direct（登録商標））、ＵＷＢ（ultra wideband）、赤外線通信（ＩｒＤＡ、Infrared Data Association）、ＲＦ−ＩＤ、ＮＦＣ（Near Field Communication）など、近距離通信基盤の通信モジュールを含んでもよい。
【００９１】
近距離通信部１１１は、外部機器からブロードキャスティングされる信号（Advertising packet）を受信することができる。近距離通信部１１１は、所定の周期で外部機器をスキャン（又は探索）してもよく、ユーザのリクエスト時に、外部機器をスキャン（又は探索）してもよい。また、近距離通信部１１１は、スキャンされた外部機器とペアリングするか、外部機器を用いて、ネットワークに入ることにより、通信チャンネルを形成することができる。
【００９２】
移動通信部１１２は、移動通信網の上で、基地局、外部の端末、サーバー中の少なくとも一つと無線信号を送受信する。ここで、無線信号は、音声の着信号、画像通話の着信号、又はテキスト／マルチメディアメッセージの送受信による多様な形態のデータを含んでもよい。移動通信部１１２は、ＴＤＭ、ＴＤＭＡ、ＦＤＭ、ＦＤＭＡ、ＣＤＭ、ＣＤＭＡ、ＯＦＤＭ、ＯＦＤＭＡ、ＭＩＭＯ、スマートアンテナなどの技術を用いるＧＳＭ（登録商標）、ＷＣＤＭＡ（登録商標）、ＨＳＤＰＡ、ＬＴＥ、ＷｉＭＡＸなどの標準の通信モジュールを含んでもよい。
【００９３】
通信モジュールは、アンテナ、ＲＦ回路、モデムなどを含んでもよく、ハードウェア又はソフトウェアから構成されてもよい。モデムなどの一部の機能モジュールは、制御部１５０のコミュニケーションプロセッサ１５２と共に動作するか、コミュニケーションプロセッサ１５２なしで、当該機能のモジュールのみで動作してもよい。
【００９４】
放送受信部１１３は、放送チャンネルを通して、外部から放送信号及び／又は放送関連の情報を受信する。放送チャンネルは、衛星チャンネル、地上波チャンネルを含んでもよい。実装によっては、放送受信部１１３が省略されてもよい。
【００９５】
センシング部１４０は、カメラ１４１、マイク１４２、モーションセンサー１４３などを含んでもよい。センシング部１４０は、ユーザ入力、音声、音響、イメージ、動画、又は電子デバイス１００の動きなどを検出することができる。ユーザ入力は、ガイドが設定されたアイコンに対するコンテンツを再生するための第２のユーザ入力、及びアイコンに対応するアプリケーションを実行するための第３のユーザ入力などを含んでもよい。ユーザ入力は、タッチジェスチャー、モーションジェスチャー、ボタン入力、キー入力、音声入力、モーション入力などを含んでもよい。ここで、センシング部１４０は、モーションジェスチャー、音声入力、モーション入力などを検出することができる。
【００９６】
また、センシング部１４０は、制御部１５０の制御の下、多様なコンテンツ生成アプリケーションに対応するセンシング情報を獲得することができる。制御部１５０は、メモリ１６０からコンテンツ生成アプリケーションとセンシングモジュール１６２とをロードして、センシング部１４０を制御することができる。
【００９７】
カメラ１４１は、ユーザのモーションジェスチャーを撮影して、ユーザ入力に対するセンシング情報を獲得することができる。また、カメラ１４１は、イメージ又は動画コンテンツを生成しようとする場合、カメラアプリケーション又はカムコーダアプリケーションに対応するセンシング情報を獲得することができる。
【００９８】
カメラ１４１は、２Ｄ又は３Ｄ光学センサー、３次元デプスセンサーなどを含んでもよい。カメラ１４１は、ディスプレイ部１２１が含まれた電子デバイス１００の少なくとも一面に含まれたものであってもよい。また、カメラ１４１は、画像通話モード又は撮影モードで、イメージセンサーを通じて、静止映像又は動画などの画像フレームを得ることができる。イメージセンサーを通じてキャプチャされたイメージは、制御部１５０又は別途のイメージ処理部（図示せず）を通じて処理されてもよい。処理された画像フレームは、ディスプレイ部１２１に表示されてもよく、メモリ１６０に記憶されるか、通信部１１０を通じて外部へ転送されてもよい。カメラ１４１は、電子デバイス１００の構成態様によって、二つ以上備えられてもよい。
【００９９】
マイク１４２は、ユーザの音声入力に対するセンシング情報を獲得することができる。また、マイク１４２は、音声コンテンツを生成しようとする場合、ボイスレコーダアプリケーションに対応するセンシング情報を獲得することができる。
【０１００】
また、マイク１４２は、通話モード又は録音モード、音声認識モードなどで、外部の音響信号の入力を受けて、電気的な音声データとして処理する。処理された音声データは、通話モードの場合、移動通信部１１２を通じて、移動通信の基地局へ送信可能な形態に変換されて出力されてもよい。
【０１０１】
モーションセンサー１４３は、ユーザが電子デバイス１００を動かすか、揺らすユーザのモーション入力に対するセンシング情報を獲得することができる。モーションセンサー１４３は、電子デバイス１００の動きを検出して、動きのパターンに対するセンシング情報を獲得することができる。モーションセンサー１４３は、加速度センサー、地磁気センサー、ジャイロセンサーなどを含んでもよい。モーションセンサー１４３は、一定の時間の間、電子デバイス１００の動き方向と大きさなどのセンシング情報を検出し、検出されたセンシング情報から、動きの軌跡又は動きベクトルの累積データなどの動きのパターンを獲得することができる。制御部１５０は、獲得されたセンシング情報を通じて、電子デバイス１００の動きのパターンが、入力又は命令に対応する予め設定された動きのパターンと合致するか、又は予め設定された動きのパターンに相応する動きの範囲内に属するかを判定することができる。
【０１０２】
また、上述のセンシング部１４０の複数のセンサーは、ユーザ入力のパターン又はコンテンツ生成アプリケーションの種類によって、多様に構成され得ることは、当業者には自明である。
【０１０３】
図３は、本発明の一態様によるガイドの提供方法を示すフローチャートである。以下に、一実施形態として、図２の電子デバイス１００におけるガイドの提供方法を説明する。
【０１０４】
ステップ３０５において、電子デバイス１００は、ガイド設定モードで、第１のユーザ入力に応じてアイコンを指定する。
【０１０５】
ステップ３１０において、電子デバイス１００は、指定されたアイコンのガイドとして提供されるコンテンツを、ステップ３０５で、指定されたアイコンと関連付けて、ガイドを設定する。ここで、コンテンツは、ユーザの操作によって、電子デバイス１００のコンテンツ生成アプリケーションを通じて獲得されたものであってもよい。コンテンツは、音声、イメージ、動画、及びテキストのうちの少なくとも一つであってもよい。また、コンテンツは、ＦＴＰ又はインターネットウェブページ、ＩＰアドレスなどのネットワークアドレスであってもよく、当該コンテンツが再生されると、ネットワークアドレスが指すウェブページ又は音声、イメージ、動画、テキストなどが再生されるか、表示されてもよい。また、ガイドとして提供されるコンテンツは、電子デバイス１００の製造者により提供されるか、アプリケーションが電子デバイス１００にダウンロードされるか、インストールされるとき、共に提供されるデフォルトコンテンツであってもよい。また、電子デバイス１００の製造者の提供又はアプリケーションのインストールによって、少なくとも一つのアイコンと、少なくとも一つのアイコンのガイドとして提供されるコンテンツの、予め設定された関連付け情報が、電子デバイス１００のメモリ１６０に保存されてもよい。予め設定された関連付け情報は、電子デバイス１００において、ガイドの設定を通じて、ユーザの操作により（又はユーザ入力により）、予め設定された関連付け情報の全体又は予め設定された関連付け情報に含まれた各アイコンに対するガイドの活性化の可否が指定されるか、予め設定された関連付け情報の少なくとも一部が、修正又は変更されてもよい。
【０１０６】
ステップ３１５において、電子デバイス１００は、ガイド設定モードの後、ガイドの設定されたアイコンと画面とを表示する。
【０１０７】
ステップ３２０において、電子デバイス１００は、ガイドが設定されたアイコンに対する第２のユーザ入力が検出されたか否かの可否を確認することができる。ガイドが設定されたアイコンに対する第２のユーザ入力が検出されない場合、アイコンのガイドを提供するための動作を終了することができる。
【０１０８】
ガイドが設定されたアイコンに対する第２のユーザ入力が受信されると、ステップ３２５において、電子デバイス１００は、ガイドが設定されたアイコンに対するコンテンツを再生する。
【０１０９】
ステップ３２５において、電子デバイス１００は、ガイドが設定されたアイコンに対応するアプリケーションの実行のためのインタラクションオブジェクトを表示することができる。インタラクションオブジェクトに対する第３のユーザ入力が検出されることによって、電子デバイス１００は、アイコンに対応するアプリケーションを実行することができる。
【０１１０】
また、ステップ３１５の後、ガイドが設定されたアイコンに対する第３のユーザ入力が検出されると、電子デバイス１００は、ガイドが設定されたアイコンに対応するアプリケーションを実行することもできる。
【０１１１】
図４は、本発明の一態様によるガイドの設定方法を示すフローチャートである。図４は、図３のステップ３０５〜ステップ３１０をより詳細に説明するための一実施形態として、以下に図６〜図８を共に参照して説明する。
【０１１２】
ステップ４０５において、電子デバイス１００は、ガイド設定モードに進むことができる。図６において、電子デバイス１００の画面６１０、６２０は、ガイド設定モードに進むためのユーザインターフェースの一例を示す。画面６１０は、電子デバイス１００の環境設定メニューを表示する。環境設定メニューは、ＷｉＦｉ、ブルートゥース（登録商標）のような通信設定、ディスプレイ設定、アクセシビリティ６１５設定などのためのユーザインターフェースを提供する。ユーザ入力６５０によって、アクセシビリティ６１５が選択されると、電子デバイス１００は、アクセシビリティ設定メニューを表示する画面６２０を表示することができる。
【０１１３】
アクセシビリティ設定メニューは、本発明の一態様によるガイドの設定を提供するためのガイド設定アイテム６５５を含んでもよい。また、アクセシビリティ設定メニューは、自動画面回転（Auto-rotate screen）、トークバック（talkback）、ウェブスクリプトインストール（Install web scripts）などのアイテムを含んでもよい。自動画面回転は、電子デバイス１００の横又は縦の配置に従って、電子デバイス１００に表示される画面の横又は縦の配置を適応的に変更できる機能であってもよい。トークバックは、ユーザが、タッチ、選択又は活性化した項目を、電子デバイス１００が、音声などで説明してくれる機能であって、視覚障害者のための音声フィードバックを含んでもよい。ウェブスクリプトのインストールは、ウェブコンテンツにアクセスが容易になるよう、スクリプトを設けることであってもよい。ユーザ入力によって、ガイド設定アイテム６５５が選択されると、電子デバイス１００は、ガイド設定モードに進むことができる。
【０１１４】
また、電子デバイス１００がガイド設定モードに進む方法は、図６において例示されたユーザインターフェースを通じた方法以外にも、多様な方法が可能である。例えば、電子デバイス１００は、ホーム画面又はプログラム画面で、予め設定されたユーザ入力（例えば、タッチジェスチャー、モーションジェスチャー、ボタン入力、キー入力、音声入力、モーション入力など）が検出されると、一般使用モードからガイド設定モードへ遷移してもよい。また、電子デバイス１００は、ホーム画面又はプログラム画面で、アイコンに対する付加機能メニューを通じて、ガイド設定モードに進む機能を提供してもよい。
【０１１５】
図７の画面７１０は、ガイド設定モードで、ガイド設定メニューを示す一例である。ガイド設定メニューは、追加アイテム７１１、修正アイテム７１３、削除アイテム７１５、ガイド活性化アイテム７１７などを含んでもよい。追加アイテム７１１は、新しいアイコンに対して、ガイドを提供できるよう、関連付け情報にアイコンの情報又はアイコンのガイドとして提供されるコンテンツの情報を追加する機能に対するユーザインターフェースであってもよい。修正アイテム７１３は、メモリに保存される関連付け情報を修正するためのものであって、アイコンの情報又はアイコンに対応するコンテンツの情報を修正する機能に対することであってもよい。削除アイテム７１５は、メモリに保存される関連付け情報の少なくとも一部を削除するためのものであってもよい。ガイド活性化アイテム７１７は、本発明の一態様によるガイド提供機能の活性化の可否を示すか、ガイド提供機能の活性化の可否を決定できるようにするユーザインターフェースであってもよい。例えば、ガイド活性化アイテム７１３は、現在、ガイド提供機能が活性化されていることを示し、ガイド活性化アイテム７１３に対するユーザ入力によって、活性化又は非活性化のうちの一つが選択されてもよい。また、ガイド活性化アイテム７１３は、画面７１０に示されたように、トグルボタンの形態で提供されてもよく、ラジオボタン、チェックボックス、リスト形式などで多様に実現されてもよい。
【０１１６】
また、ユーザの操作によって、ガイド設定メニューのアイテム７１１、７１３、７１５、７１７を通じて、予め設定された関連付け情報が、修正、変更又は活性化の可否が指定されてもよい。
【０１１７】
ステップ４１０において、電子デバイス１００は、ガイド設定モードで、ホーム画面及びプログラム画面のうちの少なくとも一つに含まれた複数のアイコンを表示することができる。図７の画面７２０は、ユーザ入力７５０に応じて画面７１０の追加アイテム７１１が選択されることによって、表示されるものであってもよい。また、画面７２０は、アイコンのガイドを修正、削除するためのものとして用いてもよい。画面７２０は、ホーム画面及びプログラム画面のうちの少なくとも一つに含まれた複数のアイコンからなってもよい。例えば、画面７２０は、ユーザの利便性向上のために、通常使用モードにおけるホーム画面又はプログラム画面と同一の画面から構成されてもよい。また、画面７２０は、一定の整列規則に従って、複数のアイコンが配列された形態であってもよい。
【０１１８】
ステップ４１５において、電子デバイス１００は、第１のユーザ入力に応じて、複数のアイコンの中からアイコンを指定することができる。例えば、画面７２０でユーザ入力７５５に応じて、アイコン２１７が指定されてもよい。
【０１１９】
ステップ４２０において、電子デバイス１００は、指定されたアイコンのガイドとして提供されるコンテンツの形式を指定するメニューを表示することができる。例えば、図８の画面８１０は、ガイドとして提供されるコンテンツの形式を指定し、コンテンツ生成アプリケーションの使用の可否の選択又は指定された形式に合うコンテンツを添付するためのガイド設定メニューの一例であってもよい。画面８１０のガイド設定メニューは、音声録音／添付アイテム８１１、動画撮影／添付アイテム８１３、写真撮影／添付アイテム８１５、ノート／添付アイテム８１７、テキストメモ／添付アイテム８１９などを含んでもよい。
【０１２０】
音声録音／添付アイテム８１１は、音声コンテンツを生成するために、ボイスレコーダアプリケーションを起動するか、音声ファイルを選択する機能のためのものであってもよい。動画撮影／添付アイテム８１３は、動画コンテンツを生成するために、カムコーダ（又はビデオレコーダ）アプリケーションを起動するか、動画ファイルを選択する機能のためのものであってもよい。写真撮影／添付アイテム８１５は、イメージコンテンツを生成するために、カメラアプリケーションを起動するか、イメージファイルを選択する機能のためのものであってもよい。ノート／添付アイテム８１７は、ノートコンテンツを生成するために、ノートアプリケーションを起動するか、ノートファイルを選択する機能のためのものであってもよい。テキストメモ／添付アイテム８１９は、テキストコンテンツを生成するために、テキストアプリケーションを起動するか、テキストファイルを選択する機能のためのものであってもよい。
【０１２１】
ステップ４２５において、電子デバイス１００は、ユーザ入力に応じて、ガイドとして提供されるコンテンツを生成するか否かを判定することができる。
【０１２２】
コンテンツを生成しないと判定される場合（即ち、ユーザ入力に応じて、ガイドとして提供されるコンテンツの添付が指定された場合）、ステップ４３０において、電子デバイス１００は、メニューを通じて指定された形式に相応するコンテンツを選択することができる。例えば、図８の画面８１０で、ユーザ入力８５０に応じて、動画撮影／添付アイテム８１３が選択され、動画の添付が指定された場合、電子デバイス１００は、ユーザに動画又はビデオファイルを探索するか、選択できるユーザインターフェースを提供することができる。ガイドとして提供されるコンテンツは、電子デバイス１００の製造者により提供されるか、アプリケーションが電子デバイスにダウンロードされるか、インストールされるとき、共に提供されるデフォルトコンテンツを含んでもよい。デフォルトコンテンツは、電子デバイス１００で、ガイドの設定を通じてユーザの操作によって、その再生が非活性化されるか、編集されるか、アイコンとの関連付けが修正されるか、別のコンテンツへ変更されてもよい。
【０１２３】
コンテンツを生成すると判定される場合（即ち、ユーザ入力に応じて、ガイドとして提供されるコンテンツの生成が指定された場合）、ステップ４３５において、電子デバイス１００は、メニューを通じて指定された形式に相応するコンテンツを獲得するコンテンツ生成アプリケーションを実行することができる。例えば、図８の画面８１０で、ユーザ入力８５０に応じて、動画撮影／添付アイテム８１３が選択され、動画撮影が指定された場合、電子デバイス１００は、カムコーダアプリケーションを実行することができる。
【０１２４】
ステップ４４０において、電子デバイス１００は、コンテンツ生成アプリケーションを通じてユーザ入力を検出して、コンテンツを獲得することができる。例えば、電子デバイス１００は、カムコーダアプリケーションを通じてユーザ入力を検出して、動画ファイルを獲得し、記憶することができる。
【０１２５】
ステップ４４５において、電子デバイス１００は、ステップ４３０で選択されたコンテンツ又はステップ４３５で獲得されたコンテンツを、指定されたアイコンと関連付けて、ガイドを設定することができる。例えば、図４に示されるように、電子デバイス１００は、指定されたアイコンの情報とコンテンツの情報との関連付け情報を記憶することにより、ガイドを設定することができる。また、電子デバイス１００の製造者の提供又はアプリケーションのインストールによって、少なくとも一つのアイコンと、少なくとも一つのアイコンのガイドとして提供されるコンテンツとの関連付け情報が、予め設定されて電子デバイスに記憶されたものであってもよい。例えば、予め設定された関連付け情報は、電子デバイス１００の製造者又は通信サービス業者が提供するネイティブアプリケーションに対するアイコンと、デフォルトコンテンツとの関連付けを含んでもよい。予め設定された関連付け情報は、ステップ４１５〜ステップ４４０において説明されたユーザインターフェースを通じて、電子デバイス１００でユーザ入力によって、少なくとも一部が、修正、変更、各アイコンに対するガイドの活性化の可否が指定されてもよい。
【０１２６】
図５は、本発明の一態様によるガイド設定の後にガイドを提供する方法を示すフローチャートである。図５は、図３のステップ３１５〜ステップ３２５をより詳細に説明するための一実施形態として、以下に図９〜図１１を共に参照して説明する。
【０１２７】
ステップ５０５において、電子デバイス１００は、ガイド設定モードの後、ガイドが設定されたアイコンと画面とを表示することができる。電子デバイス１００は、ガイドが設定されたアイコンに、視覚的効果を提供することができる。ガイド設定モードの後とは、ガイドが設定された後であるか、又はガイドの説明モードを終了し、通常使用モードに進んだことを意味する。
【０１２８】
例えば、図９の画面２１０は、ガイド設定モードの後、ホーム画面を示す一例である。画面２１０は、ガイドが設定されたアイコン２１７を含む。ガイドが設定されたアイコン２１７には、視覚的効果２１９が提供されてもよい。視覚的効果２１９は、ガイドが設定されたアイコン２１７に対するオーラ（aura）効果、アニメーション、ガイドが設定されなかったアイコンと異なる大きさ、テキスト、イメージ又は付加アイコンの追加などを含んでもよい。
【０１２９】
ステップ５１０において、電子デバイス１００は、アイコンに対する第２のユーザ入力が検出されたか否かを確認することができる。アイコンに対する入力のない場合、又は、第２のユーザ入力が予め設定されたジェスチャー又は信号と異なる場合、一態様によるガイドを提供するための動作を終了することができる。
【０１３０】
アイコンに対する第２のユーザ入力が受信される場合、ステップ５１５において、電子デバイス１００は、当該アイコンにガイドが設定されているか否かを判定することができる。例えば、電子デバイス１００は、メモリに記憶された関連付け情報を参照して、第２のユーザ入力に対応するアイコンにガイドが設定されているか否かを判定することができる。
【０１３１】
アイコンにガイドが設定されていない場合、ステップ５２０において、電子デバイス１００は、アイコンに対応するアプリケーションを実行するか、ガイドを提供するための動作を終了することができる。
【０１３２】
アイコンにガイドが設定されている場合、ステップ５２５において、電子デバイス１００は、アイコンに対するコンテンツを再生することにより、ユーザにガイドを提供することができる。例えば、図９の画面２１０で、ユーザ入力２５０に応じて、ガイドの設定されたアイコン２１７が指定されると、電子デバイス１００は、画面９２０で、アイコン２１７に対する動画コンテンツ９２３を再生することができる。また、電子デバイス１００は、アイコンに対応するアプリケーションの実行のためのインタラクションオブジェクト９２５を表示することができる。
【０１３３】
電子デバイス１００は、図９の画面２１０のようなホーム画面で、ガイドを表示するために、画面２１０における複数のアイコンの配置を保持したレイヤー上に、画面９２０のように、アイコンのガイドをポップアップ９２１の形態で表示することができる。また、アイコンのガイドは、画面９２０のポップアップ９２１の形態だけではなく、図１０の画面１０２０のように、アイコンの位置が再配列されるか、ホーム画面が変更されて、新しい形態で表示されてもよい。コンテンツ１０２３、１０２５は、画面１０２０のポップアップ１０２１に表示されるか、ポップアップの形態と関係なく、全領域又は一部領域に表示されてもよい。画面１０２０は、ガイドとして提供されるコンテンツ１０２３、１０２５として、動画１０２３及びテキスト１０２５が共に表示できることを示す。また、コンテンツ１０２３、１０２５と共に、音声、イメージ、又はノート形式のコンテンツが提供されてもよい。このように、ガイドとして提供されるコンテンツは、複数のコンテンツであってもよい。また、画面１０２０のガイドには、画面９２０と違って、インタラクションオブジェクト９２５が省略されてもよい。
【０１３４】
ガイドが提供される画面１０２０にインタラクションオブジェクト９２５のない場合、ガイドの提供が完了された後、電子デバイス１００は、図１１の画面１１１０で、アイコン２１７を表示することにより、ユーザに、アイコン２１７に対応するアプリケーションを実行させるようユーザインターフェースを提供することができる。この際、画面は、図９の画面２１０と同一の形態であってもよく、画面１１１０で表示されるアイコン２１７のように、アイコン２１７に対するガイドが提供された後であることを示す視覚的効果１１１９と共に表示されてもよい。例えば、図９の画面２１０における視覚的効果２１９と、図１１の画面１１１０における視覚的効果１１１９とが、互いに色相、大きさ、アニメーションなどが異なって表示されるものであってもよい。また、ガイドが提供されたか否かの可否に従って、アイコンには聴覚的効果又は触覚的効果が分けて表示されてもよい。
【０１３５】
ガイドとしてコンテンツが再生された後、ステップ５３０において、電子デバイス１００は、第３のユーザ入力に応じて、アイコンに対応するアプリケーションを実行するためのユーザインターフェースの制御のために、タイマーを駆動することができる。
【０１３６】
ステップ５３５において、電子デバイス１００は、アイコンに対する第３のユーザ入力が受信されるか否かを確認することができる。第３のユーザ入力が受信されない場合、ステップ５４０において、電子デバイス１００は、タイマーが駆動された後、予め設定された時間が過ぎたか否かを確認することができる。予め設定された時間が過ぎなかった場合、電子デバイス１００は、再びステップ５３５に進んで、第３のユーザ入力の受信をチェックすることができる。予め設定された時間が過ぎた場合、電子デバイス１００は、ガイドの設定されたアイコンに対応するアプリケーションを実行するための動作を終了することができる。また、電子デバイス１００は、ガイドとしてコンテンツが再生された後、予め設定された時間が経つと、図９の画面２１０のように、ガイドの設定されたアイコン２１７に対してガイドを提供するためのユーザインターフェースを再び表示することができる。
【０１３７】
アイコンに対する第３のユーザ入力が受信されると、電子デバイス１００は、アイコンに対応するアプリケーションを実行することができる。例えば、ガイドを提供する画面９２０に、インタラクションオブジェクト９２５に対する第３のユーザ入力が受信されると、電子デバイス１００は、アイコン２１７に対応するアプリケーションを実行して、画面１１２０を表示することができる。また、ガイドが提供された後（ガイドとして、コンテンツが再生された後）、画面１１１０で、アイコン２１７に対する第３のユーザ入力１１５０が検出されると、電子デバイス１００は、アイコン２１７に対応するアプリケーションが実行されるよう制御して、画面１１２０を表示することができる。
【０１３８】
また、図５を通じて、第２のユーザ入力と第３のユーザ入力を、時間軸で区分して、当該入力に対応する互いに異なる機能が動作されるようにするユーザインターフェースについて説明したが、図１で説明したように、電子デバイス１００は、第２のユーザ入力及び第３のユーザ入力を、互いに異なるジェスチャーに区分して設定し、時間と関係なく、入力された形態によって、第２のユーザ入力及び第３のユーザ入力を区分することもできることに留意すべきである。例えば、第２のユーザ入力は、タッチスクリーン上におけるホバージェスチャーであり、第３のユーザ入力は、タッチスクリーンに対するタッチジェスチャーであってもよい。
【０１３９】
また、図４又は図５を通じて、ガイドの提供方法として説明された動作のステップは、その順序が任意に変更されるか、動作のステップ中の一部のステップが、省略されてもよい。また、動作のステップは、前述の実施形態の一部が、複合的に結合して実施されてもよい。また、動作のステップの変更又は省略によって、図６〜図１１を通じて説明されたユーザインターフェースが、多様な形態で変更され得ることは、通常の知識を有する者には明らかである。
【０１４０】
図３〜図５において説明された一実施形態についてのプログラムは、ソフトウェア、ハードウェア、又はソフトウェアとハードウェアとの組合せから構成されてもよいことは、当該技術分野における通常の知識を持つ者には明らかである。図３〜図５において説明された一実施形態についてのプログラムは、記録媒体に記録されてもよく、通信網を通してサーバー又はコンピュータから電子デバイスにダウンロードされてもよい。
【符号の説明】
【０１４１】
１００  電子デバイス
１１０  通信部
１３５  ユーザインターフェース部
１４０  センシング部
１５０  制御部
１６０  メモリ
【図１】
2014137825.tif 000003
【図２】
2014137825.tif 000004
【図３】
2014137825.tif 000005
【図４】
2014137825.tif 000006
【図５】
2014137825.tif 000007
【図６】
2014137825.tif 000008
【図７】
2014137825.tif 000009
【図８】
2014137825.tif 000010
【図９】
2014137825.tif 000011
【図１０】
2014137825.tif 000012
【図１１】
2014137825.tif 000013